(57)【要約】【課題】  ＣＴ撮影と生検針を用いた生検を行うことができる乳房撮影装置を提供する。【解決手段】  放射線を発生させる放射線発生部１０と、放射線発生部１０から照射された放射線を検出する放射線検出部１２とを有したガントリ３０を備え、放射線発生部１０と放射線検出部１２を対向させた状態で回転させることが可能な乳房撮影装置であって、被検者の乳房に穿刺する生検針１４２を有した生検用装置１４０を備え、生検用装置１４０は、放射線発生部１０に対して着脱可能に設置されている。【選択図】  図１
2017046974.tif 000002
【特許請求の範囲】
【請求項１】
放射線を発生させる放射線発生部と、前記放射線発生部から照射された放射線を検出する放射線検出部とを有したガントリを備え、前記放射線発生部と前記放射線検出部を対向させた状態で回転させることが可能な乳房撮影装置であって、
被検者の乳房に穿刺する生検針を有した生検用装置を備え、前記生検用装置は、前記放射線発生部に対して着脱可能に設置されていることを特徴とする乳房撮影装置。
【請求項２】
前記ガントリには、ＣＴ撮影時に回転する前記放射線発生部と前記放射線検出部から被検者を保護するフロントカバーが設置され、前記フロントカバーは、被検者の乳房を挿入するための開口と、前記開口から挿入された被検者の乳房を保持する乳房保持部を有していることを特徴とする請求項１に記載の乳房撮影装置。
【請求項３】
前記乳房保持部に保持された被検者の乳房を保護するための保護カバーが前記乳房保持部に設置され、前記保護カバーは前記生検針を挿入するための複数の開口部を有していることを特徴とする請求項２に記載の乳房撮影装置。
【請求項４】
前記保護カバーによって、被検者の乳房を圧迫する圧迫機構を備えていることを特徴とする請求項３に記載の乳房撮影装置。
【請求項５】
前記放射線発生部には、前記生検用装置を設置する際に用いる目盛が付与されていることを特徴とする請求項１に記載の乳房撮影装置。
【請求項６】
放射線を発生させる放射線発生部と、前記放射線発生部から照射された放射線を検出する放射線検出部とを有したガントリを備え、前記放射線発生部と前記放射線検出部を対向させた状態で回転させることが可能な乳房撮影装置であって、
被検者の乳房に穿刺する生検針を有した生検用装置を備え、前記ガントリには、ＣＴ撮影時に回転する前記放射線発生部と前記放射線検出部から被検者を保護するフロントカバーが設置され、前記生検用装置は、前記フロントカバーに対して着脱可能に設置されていることを特徴とする乳房撮影装置。
【請求項７】
前記フロントカバーは、被検者の乳房を挿入するための開口と、前記開口から挿入された被検者の乳房を保持する乳房保持部を有していることを特徴とする請求項６に記載の乳房撮影装置。
【請求項８】
前記フロントカバーには、前記生検用装置を設置する際に用いる目盛が付与されていることを特徴とする請求項６に記載の乳房撮影装置。
【請求項９】
放射線を発生させる放射線発生部と、前記放射線発生部から照射された放射線を検出する放射線検出部とを有したガントリを備え、前記放射線発生部と前記放射線検出部を対向させた状態で回転させることが可能な乳房撮影装置であって、
被検者の乳房に穿刺する生検針を有した生検用装置と、前記生検用装置を床面に対して支持する支持機構を備えていることを特徴とする乳房撮影装置。
【発明の詳細な説明】
【技術分野】
【０００１】
本発明は、放射線を用いて乳房撮影を行う乳房撮影装置に関する。
【背景技術】
【０００２】
乳房撮影装置として、放射線を発生させる放射線発生部と放射線を検出する放射線検出部を回転部で回転させて乳房を撮影するＣＴ装置がある。
乳房を挿入する開口を通る回転軸を挟んで対向配置されたＸ線発生部とＸ線検出器とが、その回転軸の周りに回転するように構成されたＣＴ装置が示されている。（例えば、特許文献１）
【先行技術文献】
【特許文献】
【０００３】
【特許文献１】特開２０１０−０６８９２９号公報
【発明の概要】
【発明が解決しようとする課題】
【０００４】
特許文献１のＣＴ装置では、ＣＴ撮影しか行うことができず、生検針を用いた生検を行うことを考慮していない。
本発明は、ＣＴ撮影と生検針を用いた生検を行うことができる乳房撮影装置を提供することを目的とする。
【課題を解決するための手段】
【０００５】
本発明の目的を達成するために、放射線を発生させる放射線発生部と、前記放射線発生部から照射された放射線を検出する放射線検出部とを有したガントリを備え、前記放射線発生部と前記放射線検出部を対向させた状態で回転させることが可能な乳房撮影装置であって、被検者の乳房に穿刺する生検針を有した生検用装置を備え、前記生検用装置は、前記放射線発生部に対して着脱可能に設置されている。
【発明の効果】
【０００６】
本発明によれば、ＣＴ撮影と生検針を用いた生検を行うことが可能になる。
【図面の簡単な説明】
【０００７】
【図１】本発明の乳房撮影装置の外観を示す図。
【図２】ＣＴ撮影側から見た本発明の乳房撮影装置の外観を示す図。
【図３】本発明の乳房撮影装置の断面図。
【図４】マンモ撮影側から見た本発明の乳房撮影装置の外観を示す図。
【図５】本発明の乳房撮影装置の構成を示す図。
【図６】本発明の乳房撮影装置の上下駆動部の構成を示す図。
【図７】本発明の乳房撮影装置の回転駆動部による回転形態を示す図。
【図８】本発明の乳房撮影装置のガントリからフロントカバーが取り外された形態を示す図。
【図９】乳房を保護するための保護カバーが乳房保持部に設置された形態を示す図。
【図１０】生体検査用の生検針を挿入させる開口部を有した保護カバーが乳房保持部に設置された形態を示す図。
【図１１】保護カバーによる圧迫機構の一例を示す図。
【図１２】放射線発生部に生検用装置が設置された形態を示す図。
【図１３】乳房撮影装置の表示部に表示される生検針挿入支援画面を示す図。
【図１４】フロントカバーに生検用装置が設置された形態を示す図。
【図１５】支持機構を用いて生検用装置が設置された形態を示す図。
【発明を実施するための形態】
【０００８】
図１は、乳房撮影装置１００の外観を示す図である。乳房撮影装置１００は、マンモ撮影とＣＴ撮影を行うことができる。マンモ撮影とＣＴ撮影を行う際、被検者は立位である。立位とは、被検者は、床面に両足が置かれ、床面に立った状態である。つまり、乳房撮影装置１００は、立位用の乳房撮影装置である。
【０００９】
乳房撮影装置１００は、放射線を発生する放射線発生部１０と、放射線発生部１０から照射された放射線を検出する放射線検出部１２と、放射線発生部１０と放射線検出部１２を対向させた状態で回転させることが可能である。撮影部１０２は、主に放射線発生部１０と放射線検出部１２とからなる。
【００１０】
そして、乳房撮影装置１００における第１の側から被検者の撮影対象部位（乳房）を圧迫板１４と放射線検出部１２との間に挟んだ状態で撮影する。つまり、乳房撮影装置１００は、マンモ撮影モードを有している。そして、乳房撮影装置１００における第１の側と反対の第２の側から被検者の撮影対象部位（乳房）を放射線発生部１０と放射線検出部１２との間に挿入させた状態で放射線発生部１０と放射線検出部１２を回転させて撮影する。つまり、乳房撮影装置１００は、ＣＴ撮影モードを有している。
【００１１】
乳房撮影装置１００は、放射線発生部１０と放射線検出部１２を回転可能に支持するガントリ３０と、床面に対してガントリ３０を支持する支持脚部４０を備えている。すなわち、ガントリ３０は、撮影部１０２を回転可能に支持する。
【００１２】
マンモ撮影を行う場合、乳房撮影装置１００における第１の側（図中右側）から被検者の撮影対象部位（乳房）を圧迫板１４と放射線検出部１２との間に挟んだ状態で撮影する。圧迫板１４は、透明な材質であり、放射線を透過する材質である。具体的には、圧迫板１４を上下動させることにより、被検者の乳房を圧迫板１４と放射線検出部１２との間に挟むことができる。圧迫板１４と放射線検出部１２との間に被検者の乳房を挟んだ状態で、放射線発生部１０によって放射線を発生させる。放射線検出部１２が被検者の乳房を透過した放射線を検出することにより、被検者の乳房を撮影することができる。乳房撮影装置１００は、撮影された放射線データに基づいてマンモ画像を生成することができる。
【００１３】
ＣＴ撮影を行う場合、乳房撮影装置１００における第１の側と反対の第２の側（図中左側）から被検者の撮影対象部位（乳房）を放射線発生部１０と放射線検出部１２との間に挿入する。そして、この状態で放射線発生部１０と放射線検出部１２を回転フレーム３８で回転させて撮影する。具体的には、乳房撮影装置１００のガントリ３０には、被検者の乳房を挿入するための開口２０が設置されている。被検者の乳房を開口２０に挿入させた状態で放射線発生部１０と放射線検出部１２を回転フレーム３８で回転させて撮影する。放射線発生部１０と放射線検出部１２を回転フレーム３８で回転させている間、放射線発生部１０によって放射線を発生させている。放射線検出部１２は被検者の乳房を透過した放射線を検出することにより、被検者の乳房を撮影することができる。乳房撮影装置１００は、撮影された放射線データを再構成することにより、ＣＴ画像を生成することができる。
【００１４】
乳房撮影装置１００における第１の側は、マンモ撮影側であり、乳房撮影装置１００における第２の側は、ＣＴ撮影側である。第１の側（マンモ撮影側）と第２の側（ＣＴ撮影側）を水平に結んだ線は、回転フレーム３８の回転軸と略平行になる。また、第１の側（マンモ撮影側）と第２の側（ＣＴ撮影側）を水平に結んだ線は、略平板状のガントリ３０の平面、若しくはフロントカバー２６の平面と直交する。
【００１５】
乳房撮影装置１００における第１の側（マンモ撮影側）と第２の側（ＣＴ撮影側）は、乳房撮影装置１００の略平板状のガントリ３０、フロントカバー２６、撮影部１０２によって、分割される領域である。
【００１６】
ここで、図２〜図４を用いて、乳房撮影装置１００を具体的に説明する。図２は、ＣＴ撮影側から見た乳房撮影装置１００の外観を示す図である。図３は、乳房撮影装置１００の断面図である。乳房撮影装置１００の断面図は、図２の乳房撮影装置１００の鉛直方向に伸びる中心線（一点鎖線）による断面図である。図４は、マンモ撮影側から見た乳房撮影装置１００の外観を示す図である。
【００１７】
図２に示すように、ＣＴ撮影側のガントリ３０には、ＣＴ撮影時に回転する放射線発生部１０と放射線検出部１２から被検者を保護するフロントカバー２６が設置されている。フロントカバー２６は、ＣＴ撮影を行う被検者の乳房を挿入するための開口２０を有している。また、ＣＴ撮影側のガントリ３０には、ＣＴ撮影を行う被検者が把持するための複数の把持部２２ａ、２２ｂ、２２ｃ、２２ｄが設置されている。複数の把持部２２ａ、２２ｂ、２２ｃ、２２ｄは、凹形状で形成されている。また、ＣＴ撮影側の支持脚部４０には、ＣＴ撮影を行う被検者の足を挿入するための切り欠き部４８が設置されている。
【００１８】
図４に示すように、マンモ撮影側のガントリ３０には、マンモ撮影を行う被検者の乳房を圧迫する圧迫板１４が設置されている。また、マンモ撮影側のガントリ３０には、被検者を不要な被曝から保護するための保護板４が設置されている。また、マンモ撮影側のガントリ３０には、マンモ撮影を行う被検者が把持するための把持部７０が設置されている。把持部７０は、凸形状で形成されている。また、マンモ撮影側の支持脚部４０には、マンモ撮影を行う被検者の足を挿入するための切り欠き部４８が設置されていない。
【００１９】
図５は、乳房撮影装置１００の構成図を示すものである。乳房撮影装置１００は、放射線発生部１０と放射線検出部１２を対向させた状態で放射線発生部１０と放射線検出部１２を回転させる回転駆動部１１２を備えている。また、乳房撮影装置１００は、圧迫板１４を上下動させる圧迫板駆動部１１４と、支持脚部４０に対してガントリ３０を上下動させる上下駆動部１１６とを備えている。
【００２０】
乳房撮影装置１００は、放射線発生部１０と、放射線検出部１２と、回転駆動部１１２と、圧迫板駆動部１１４と、上下駆動部１１６とをそれぞれ制御する制御部１１０を備えている。また、乳房撮影装置１００は、制御部１１０に対して指示を伝達する操作部５０、５２と操作卓９０とを備えている。ガントリ３０には、乳房撮影装置１００を操作する操作部５０が設置され、放射線検出部１２を支持する支持台２には、操作部５０と同じ機能を持つ操作部５２が設置される。また、操作卓９０は撮影室外に設置されている。
【００２１】
また、支持台２には、被検者の情報、放射線検出部１２ｂの高さ情報、放射線発生部１０ｂの線量情報、圧迫板１４による圧迫情報（Ｎ）のいずれか１つを表示する表示部が設置されていてもよい。
【００２２】
放射線発生部１０は、図示はしないが、主に電子を発生する電子放出源、ターゲットを備えている。電子放出源で発生した電子は、陰極と陽極との間の電位差により、ターゲット側に放出される。ターゲットは電子の衝突により放射線を発生する部材である。ターゲットから放射された放射線は、コーンビーム形状に成形されて外部に向けて照射される。制御部１１０は、放射線発生部１０の撮影条件を制御することができる。
【００２３】
放射線検出部１２は、被検者を透過した放射線を光電変換素子によって検出し、電気信号として出力するものである。例えば、放射線検出部１２は、被検者を透過した放射線を検出する変換パネル、蓄電部、放射線から電気信号に変換された情報を出力するためのＩ／Ｆ（インタフェース）等よりなる。Ｉ／Ｆ（インタフェース）によって、制御部１１０に電気信号を出力する。
【００２４】
＜ガントリ＞
図２〜図４に示すように、ガントリ３０は、放射線発生部１０と放射線検出部１２を対向させた状態で回転させるためのリング状の回転フレーム３８と、回転フレーム３８を回転可能に支持するリング状の固定フレーム３０ａとを有している。また、ガントリ３０は、固定フレーム３０ａに連結された長円筒状の長円筒部３０ｂを有している。回転フレーム３８と固定フレーム３０ａは、放射線発生部１０と放射線検出部１２を回転する回転部と称することもできる。固定フレーム３０ａと長円筒部３０ｂは一体形成されている。固定フレーム３０ａの方が長円筒部３０ｂよりも上部に位置している。長円筒部３０ｂは、ガントリ３０を床面に対して支持する支持脚部４０と連結されている。
【００２５】
ガントリ３０は、被検者が立位撮影を行うことができるように、鉛直方向に立設されている。放射線発生部１０と放射線検出部１２を回転する回転部（ガントリ３０における回転フレーム３８）の回転軸は水平方向である。
【００２６】
長円筒部３０ｂは、支持脚部４０における長円筒部４２の外周を覆っている。つまり、支持脚部４０における長円筒部４２をガントリ３０における長円筒部３０ｂの内部に組み入れるようになっており、支持脚部４０における長円筒部４２とガントリ３０における長円筒部３０ｂは入れ子になっている。
【００２７】
乳房撮影装置１００は、支持脚部４０に対して長円筒部３０ｂの上下動を行う上下駆動部１１６を備えている。すなわち、乳房撮影装置１００は、ガントリ３０の上下動を行う上下駆動部１１６を備えている。
【００２８】
図６は、ガントリ３０を上下させる上下駆動部１１６の構成を示す図である。ガントリ３０の内部と支持脚部４０の内部は互いに中空になっている。ガントリ３０の内部には、円形歯車８２と、円形歯車８２を回転可能に支持する支持する支持部８０が設置されている。円形歯車８２の回転軸は、水平面に対して平行である。支持部８０は、円形歯車８２の回転軸が水平面に対して平行となるように円形歯車８２を支持する。ガントリ３０の内部には、図示はしないが、円形歯車８２を回転させる駆動部（モータ）を備えている。
【００２９】
また、支持脚部４０の内部には、平板状の棒部材８４と、棒部材８４を支持する支持部８６が設置されている。平板状の棒部材８４は、支持脚部４０の長手方向（上下方向）に沿って設置されている。支持脚部４０の長手方向は、水平面に対して直交する方向である。平板状の棒部材８４は、支持脚部４０の内部とガントリ３０の内部をまたがって設置されている。なお、乳房撮影装置１００は、ガントリ３０における長円筒部３０ｂと支持脚部４０における長円筒部４２の間の隙を埋め、ガントリ３０における長円筒部３０ｂと支持脚部４０における長円筒部４２のがたつきを抑えるための緩衝材８８を備えてもよい。
【００３０】
円形歯車８２と棒部材８４は、互いに噛み合っている。駆動部（モータ）によって、円形歯車８２に回転力を加えると棒部材８４を上下動させることができる。具体的には、駆動部（モータ）によって、円形歯車８２を左回りに回転させると、ガントリ３０に対して棒部材８４を下方向に移動させることができる。円形歯車８２を左回りに回転させると、円形歯車８２を支持する支持部８０と、棒部材８４を支持する支持部８６との距離が遠くなる。このように、上下駆動部１１６における円形歯車８２を左回りに回転させると、ガントリ３０を上方向に移動させることができる。
【００３１】
また、駆動部（モータ）によって、円形歯車８２を右回りに回転させると、ガントリ３０に対して棒部材８４を上方向に移動させることができる。円形歯車８２を右回りに回転させると、円形歯車８２を支持する支持部８０と、棒部材８４を支持する支持部８６との距離が近くなる。このように、上下駆動部１１６における円形歯車８２を右回りに回転させると、ガントリ３０を下方向に移動させることができる。
【００３２】
以上、乳房撮影装置１００は、上下駆動部１１６により、ガントリ３０を上下動させることができる。ガントリ３０を上下動させることにより、被検者の乳房の高さに合わせて、開口２０の高さを調整することができる。
【００３３】
また、ガントリ３０を上下動させることにより、被検者の乳房の高さに合わせて、圧迫板１４と放射線検出部１２との間に挟む高さを調整することができる。
【００３４】
なお、上下駆動部１１６は、上記のようにラックアンドピニオン方式の一例を示したが、カムフォロアとガイドレールの組合せなどの他の形態であってもよい。
【００３５】
＜放射線発生部と放射線検出部＞
乳房撮影装置１００は、放射線を発生させる放射線発生部１０と、放射線発生部１０から照射された放射線を検出する放射線検出部１２とを備え、放射線発生部１０と放射線検出部１２を対向させた状態で回転させることが可能である。
【００３６】
放射線発生部１０と放射線検出部１２は、ガントリ３０の固定フレーム３０ａに対して回転する回転フレーム３８に設置されている。ここでは、図３に示すように、乳房撮影装置１００は、ＣＴ撮影用の放射線発生部１０ａ及び放射線検出部１２ａと、マンモ撮影用の放射線発生部１０ｂ及び放射線検出部１２ｂとをそれぞれ備えている。ガントリ３０は、ＣＴ撮影用の放射線発生部１０ａ及び放射線検出部１２ａと、マンモ撮影用の放射線発生部１０ｂ及び放射線検出部１２ｂとをそれぞれ備えている。つまり、乳房撮影装置１００は、ＣＴ撮影用とマンモ撮影用の２組の放射線発生部及び放射線検出部を備えている。
【００３７】
ガントリ３０は、ＣＴ撮影用の放射線発生部１０ａ及び放射線検出部１２ａを対向させ、マンモ撮影用の放射線発生部１０ｂ及び放射線検出部１２ｂを対向させた状態で回転させるためのリング状の回転フレーム３８を有している。
【００３８】
具体的には、ＣＴ撮影用として、回転フレーム３８には放射線発生部１０ａと放射線検出部１２ａが設置されている。放射線検出部１２ａは、放射線検出部１２ａを支持する支持台２を介して回転フレーム３８に設置されている。
【００３９】
マンモ撮影用として、回転フレーム３８には放射線発生部１０ｂと放射線検出部１２ｂが設置されている。放射線検出部１２ｂは支持台２を介して回転フレーム３８に設置されている。
【００４０】
回転フレーム３８はベアリング構造を有した軸受けを介して、ガントリ３０の固定フレーム３０ａに連結されている。固定フレーム３０ａは、不動の状態であり、静止したフレームである。回転フレーム３８は、回転駆動部１１２によって回転することができる。回転駆動部１１２は、回転フレーム３８の回転軸が水平方向になるようにガントリ３０内部に設置されている。
【００４１】
また、支持台２には、圧迫板１４が上下動可能に設置されている。また、支持台２には、圧迫板１４を上下させる回転つまみ５４が設置されている。回転つまみ５４を回転して圧迫板１４を降下させることにより、被検者の乳房を圧迫板１４と放射線検出部１２ｂで挟み込むことができる。
【００４２】
このように、支持台２は回転フレーム３８に設置され、支持台２は放射線検出部１２ａと放射線検出部１２ｂと圧迫板１４を支持する。回転駆動部１１２によって回転フレーム３８を支持台２とともに回転させることにより、放射線検出部１２ａと放射線検出部１２ｂを回転させることができる。また、回転駆動部１１２によって回転フレーム３８を回転させることにより、放射線発生部１０ａと放射線発生部１０ｂを回転させることができる。
【００４３】
図３に示すように、放射線発生部１０ａと放射線発生部１０ｂは、ほぼ同じ高さに設置されている。放射線検出部１２ａは、放射線検出部１２ｂよりも高い位置に設置されている。
【００４４】
言い換えれば、回転部（回転フレーム３８）の回転軸に対して、放射線発生部１０ａと放射線発生部１０ｂが同じ位置（同じ距離）となるように、放射線発生部１０ａと放射線発生部１０ｂが設置されている。
【００４５】
また、回転部（回転フレーム３８）の回転軸に対して、放射線検出部１２ａよりも放射線検出部１２ｂの方が外側に位置するように、放射線検出部１２ａと放射線検出部１２ｂが設置されている。
【００４６】
ＣＴ撮影を行う際に用いる放射線発生部１０ａと放射線検出部１２ａの間の距離は、マンモ撮影を行う際に用いる放射線発生部１０ｂと放射線検出部１２ｂの間の距離よりも短い。
【００４７】
マンモ撮影を行う際、被検者の乳房が圧迫板１４と放射線検出部１２ｂで挟み込まれる。当該圧迫により、被検者の乳房が潰れて平板状になるため、放射線を照射する面積を増やしてＦＯＶ（Ｆｉｅｌｄ  ｏｆ  ｖｉｅｗ：照射野）を確保しなければならない。そのため、マンモ撮影を行う際に用いる放射線検出部１２ｂは、ＣＴ撮影を行う際に用いる放射線検出部１２ａよりも低い位置に設置されている。
【００４８】
照射野８は、マンモ撮影用の放射線発生部１０ｂによる照射野である。放射線発生部１０ｂからの照射野８が圧迫板１４を含むように、放射線発生部１０ｂと放射線検出部１２ｂが設置されている。照射野８は、放射線発生部１０ｂの焦点を頂点として広がる四角錐形状（コーンビーム形状）となっている。図３に示すように、照射野８の一側端（左側）は、鉛直方向となっており、照射野８の他側端（右側）は斜め方向になっている。被検者の乳房周囲（腋窩）を撮影するために、マンモ撮影を行う被検者側（左側）の照射野８の端部（照射野端部、照射野端面）が鉛直方向となるように、放射線発生部１０ｂの照射野８が設定されている。
【００４９】
一方、ＣＴ撮影を行う際、回転フレーム３８の大きさ、乳房撮影装置１００（ガントリ３０）全体の大きさがコンパクトになるように、放射線発生部１０ａと放射線検出部１２ａが設置されている。具体的には、放射線発生部１０ａと放射線検出部１２ａの間の距離をできるだけ短くなるように設置されている。乳房保持部３４の直下に放射線検出部１２ａが設置されている。回転フレーム３８によって放射線検出部１２ａを回転しても、放射線検出部１２ａが乳房保持部３４に接触しない位置に放射線検出部１２ａが設置されている。
【００５０】
照射野６は、ＣＴ撮影用の放射線発生部１０ａによる照射野である。ＣＴ撮影を行う被検者の乳房は乳房保持部３４上に保持されており、圧迫されていない。放射線発生部１０ａからの照射野６が乳房保持部３４の先端部を含むように、放射線発生部１０ａと放射線検出部１２ａが設置されている。
【００５１】
照射野６は、放射線発生部１０ａの焦点を頂点として広がる四角錐形状（コーンビーム形状）となっている。図３に示すように、照射野６の一側端（右側）は、鉛直方向となっており、照射野６の他側端（左側）は斜め方向になっている。被検者の乳房周囲（腋窩）を撮影するために、ＣＴ撮影を行う被検者側（右側）の照射野６の端部（照射野端部、照射野端面）が鉛直方向となるように設定されている。
【００５２】
このように、マンモ撮影を行う被検者側（左側）の照射野８の端部（照射野端部、照射野端面）が鉛直方向となるように設定され、ＣＴ撮影を行う被検者側（右側）の照射野６の端部（照射野端部、照射野端面）が鉛直方向となるように設定されている。乳がんでは、乳房周囲（腋窩）への転移が起こる可能性がある。被検者の乳房周囲（腋窩）を撮影することができるように、ＣＴ撮影用の放射線発生部１０ａの照射野６とマンモ撮影用の放射線発生部１０ｂの照射野８とがそれぞれ設定されている。
【００５３】
なお、ＣＴ撮影を行う際、ＦＯＶ（Ｆｉｅｌｄ  ｏｆ  ｖｉｅｗ：照射野）を確保するために、ＣＴ撮影用の放射線発生部１０ａをマンモ撮影用の放射線発生部１０ｂよりも高い位置に設置してもよい。ＣＴ撮影を行う際、放射線発生部１０ａは放射線を焦点から発生させながら、放射線発生部１０ａと放射線検出部１２ａの回転を行う。
【００５４】
以上、本発明の乳房撮影装置１００は、放射線を発生させる第１の放射線発生部１０ａと、放射線を発生させる第２の放射線発生部１０ｂとを備える。また、乳房撮影装置１００は、第１の放射線発生部１０ａから照射された放射線を検出する第１の放射線検出部１２ａと、第２の放射線発生部１０ｂから照射された放射線を検出する第２の放射線検出部１２ｂとを備える。
【００５５】
そして、乳房撮影装置１００における第１の側から被検者の撮影対象部位を圧迫板１４と第１の放射線検出部１２ａとの間に挟んだ状態で第１の放射線発生部１０ａと第１の放射線検出部１２ａを用いて撮影する。また、乳房撮影装置１００における第１の側と反対の第２の側から被検者の撮影対象部位を第２の放射線発生部１０ｂと第２の放射線検出部１２ｂとの間に挿入させた状態で第２の放射線発生部１０ｂと第２の放射線検出部１２ｂを回転させて撮影する。
【００５６】
このように、乳房撮影装置１００は、ＣＴ撮影用とマンモ撮影用の２組の放射線発生部及び放射線検出部を備えている。よって、ＣＴ撮影を行う被検者の乳房とマンモ撮影を行う被検者の乳房のそれぞれに適したＦＯＶ（Ｆｉｅｌｄ  ｏｆ  ｖｉｅｗ：照射野）を確保することができる。
【００５７】
＜回転フレーム＞
乳房撮影装置１００は、回転フレーム３８を介して放射線発生部１０と放射線検出部１２を回転させる回転駆動部１１２を備えている。放射線発生部１０は、マンモ撮影用の放射線発生部１０ｂとＣＴ撮影用の放射線発生部１０ａを内部に有している。
【００５８】
図４は、乳房撮影装置１００でＣＣ（頭尾方向：Ｃａｒａｎｉｏ  Ｃａｕｄａｌ  ｖｉｅｗ）のマンモ撮影を行う形態を示している。放射線発生部１０ｂ、圧迫板１４、放射線検出部１２ｂが鉛直方向に並ぶように回転フレーム３８の位置が設定されている。
【００５９】
回転つまみ５４を回転させることにより、圧迫板１４を移動させ、圧迫板１４と放射線検出部１２ｂとの距離を調整することができる。圧迫板１４の移動により、被検者の乳房を圧迫することができる。図４に示すＣＣのマンモ撮影において、圧迫板１４と放射線検出部１２ｂとの間に配置された乳房は、圧迫板１４と放射線検出部１２ｂとの間で圧迫されて放射線撮影される。
【００６０】
回転駆動部１１２は、固定フレーム３０ａの内部に設置されている。回転駆動部１１２には、連結部材（例えば、ベルト）を介して回転フレーム３８が回転可能に接続されている。また、固定フレーム３０ａと回転フレーム３８の間隙にはベアリングが設定されている。回転駆動部１１２の駆動により、回転フレーム３８は固定フレーム３０ａに対して回転する。
【００６１】
図７は、乳房撮影装置１００の回転駆動部１１２によって、放射線発生部１０ｂと放射線検出部１２ｂを回転させた回転形態を示す図である。乳房撮影装置１００でＭＬＯ（内外斜方向：Ｍｅｄｉｏｌａｔｅｒａｌ  Ｏｂｌｉｑｕｅ  ｖｉｅｗ）のマンモ撮影を行う場合は、図７に示すように、図４の状態から回転フレーム３８を所定角度（例えば約６５度）回転させて停止した状態とする。なお、回転フレーム３８の停止状態の維持は、サーボでも行ってもブレーキで行ってもよい。図７に示すＭＬＯのマンモ撮影において、圧迫板１４と放射線検出部１２ｂとの間に配置された乳房は、圧迫板１４と放射線検出部１２ｂとの間で圧迫されて放射線撮影される。
【００６２】
また、ＣＴ撮影を行う際、回転駆動部１１２の駆動により、回転フレーム３８を固定フレーム３０ａに対して回転させる。具体的には、少なくとも１８０度、回転フレーム３８を回転させる。回転フレーム３８を回転させている時、放射線発生部１０ａは放射線を発生させ、放射線検出部１２ａは放射線を検出している。放射線検出部１２は被検者の乳房を透過した放射線を検出することにより、被検者の乳房についてＣＴ撮影を行うことができる。乳房撮影装置１００は、撮影された放射線データを再構成することにより、ＣＴ画像を生成することができる。
【００６３】
＜フロントカバー＞
乳房撮影装置１００のガントリ３０にはフロントカバー２６が着脱可能に設置されている。言い換えれば、フロントカバー２６はリング状の固定フレーム３０ａに着脱可能に設置されている。具体的には、フロントカバー２６の突起部が固定フレーム３０ａの枠体（溝部）に嵌合することにより、フロントカバー２６が固定フレーム３０ａに装着される。
【００６４】
図２は、乳房撮影装置１００のガントリ３０にフロントカバー２６が取り付けられた形態を示す。図８は、乳房撮影装置１００のガントリ３０からフロントカバー２６が取り外された形態を示す。
【００６５】
図８に示すように、ガントリ３０からフロントカバー２６が取り外されると、操作者は、ＣＴ撮影側から回転フレーム３８の中空部を経由して、マンモ撮影を行う被検者の乳房にアクセスすることができる。マンモ撮影において、乳房撮影装置１００の放射線検出部１２ｂと圧迫板１４の間に配置された乳房について位置調整と圧迫調整を行うことができる。
【００６６】
ガントリ３０における固定フレーム３０ａは、リング状であるため、フロントカバー２６は円形である。フロントカバー２６は、放射線発生部１０と放射線検出部１２の回転に対して不動となる部材に固定されていればよい。
【００６７】
フロントカバー２６には被検者の乳房を挿入させるための開口２０が設置されている。具体的には、図２に示すように、フロントカバー２６の中心部には、被検者の乳房を挿入させるための円形の開口２０が設置されている。
【００６８】
フロントカバー２６は、放射線を遮蔽する遮蔽部材で構成される。ＣＴ撮影又はマンモ撮影の際、散乱した放射線がフロントカバー２６を透過しないようになっている。つまり、ＣＴ撮影側に散乱した放射線が届かないようになっている。また、フロントカバー２６は、半透明な部材である。フロントカバー２６は半透明であるため、ガントリ３０にフロントカバー２６が設置されていても、ＣＴ撮影側から放射線発生部１０や放射線検出部１２の位置を確認することができる。
【００６９】
また、図３、図４に示すように、フロントカバー２６には、開口２０から挿入された乳房を保持するための保持台としての乳房保持部３４が設置されている。乳房保持部３４は、透明な部材であり、放射線を透過する部材である。乳房保持部３４は、フロントカバー２６の開口２０の周囲に沿って形成されている。乳房保持部３４は、フロントカバー２６の開口２０から撮影部１０２側に突出して形成されている。
【００７０】
乳房保持部３４は中空であり、乳房の形状に合わせて湾曲している。乳房保持部３４の一部（下側）は、お椀形状になっており、乳房保持部３４の一部（上側）は開いた形態になっている。乳房保持部３４は、操作者がマンモ撮影側から乳房にアクセスするための開口部３４ａを有している。
【００７１】
乳房保持部３４は、乳房の下側を保持する形状となっている。乳房保持部３４は、乳房の形状を保ったまま保持することができる。乳房保持部３４は、乳房を圧迫はしない。
【００７２】
図４に示すように、乳房保持部３４の一部（上側）は開いた形態になっているため、マンモ撮影側から操作者がＣＴ撮影を行う被検者の乳房にアクセスすることができるようになっている。つまり、マンモ撮影側から操作者が乳房保持部３４に保持された被検者の乳房にアクセスすることができるようになっている。
【００７３】
フロントカバー２６に対して乳房保持部３４は着脱可能になっている。ここでは、様々なサイズの形状の乳房保持部３４を用意しておくことができる。つまり、操作者は乳房保持部３４を複数用意しておくことがきる。例えば、被検者の乳房の大きさに応じて、乳房保持部３４を取り替えることができる。
【００７４】
ガントリ３０に固定されたフロントカバー２６と乳房保持部３４は、ＣＴ撮影中に回転する放射線発生部１０や放射線検出部１２と、被検者の空間を分離している。被検者の乳房は、乳房保持部３４に保持されるので撮影中は固定されていることになる。
【００７５】
乳房保持部３４がフロントカバー２６の開口２０の周囲に沿って接続された例を示したがこれに限られるものではない。たとえば、乳房保持部３４は、ガントリ３０の固定フレーム３０ａに連結されていてもよい。
【００７６】
また、ガントリ３０には挿入部２４ａと挿入部２４ｂが設置されている。挿入部２４ａと挿入部２４ｂは、フロントカバー２６を取り外す際に操作者の手を挿入する個所であり、ガントリ３０の固定フレーム３０ａに沿って設置されている。挿入部２４ａと挿入部２４ｂは、ガントリ３０の固定フレーム３０ａの左右２箇所に設置されている。挿入部２４ａと挿入部２４ｂは、ガントリ３０の中心線（一点鎖線）に対して、線対称となるように設置されている。
【００７７】
操作者は、挿入部２４ａと挿入部２４ｂに手を入れて、フロントカバー２６を手前方向に引っ張ることにより、フロントカバー２６を取り外すことができる。マンモ撮影の際にフロントカバー２６を取り外すことにより、被検者の乳房へのアクセスが容易になる。
【００７８】
逆に、操作者は、ガントリ３０の固定フレーム３０ａに対し、フロントカバー２６を奥方向に押し込むことにより、フロントカバー２６をガントリ３０に取り付けることができる。
【００７９】
なお、フロントカバー２６は、ＣＴ撮影を行う被検者側からは不透明であり、マンモ撮影側の操作者側からは透明であるようにしてもよい。被検者側からフロントカバー２６を不透明とすることによりフロントカバー２６越しに放射線発生部１０や放射線検出部１２が動くことによる恐怖心を回避することができる。
【００８０】
図２、図８に示すように、フロントカバー２６には、ＣＴ撮影側に光を照射する第１照明部１２０が設置されている。例えば、フロントカバー２６の円周方向に沿って、第１照明部１２０が設置されている。また、ＣＴ撮影側のガントリ３０（固定フレーム３０ａ、長円筒部３０ｂ）に第１照明部１２０が設置されていてもよい。すなわち、ＣＴ撮影側の乳房撮影装置１００から光が照射されるように第１照明部１２０が設置されている。図２に示す乳房撮影装置１００の手前側に光が照射されるようになっていればよい。第１照明部１２０から照射される光は、点灯形態、点滅形態どちらであってもよい。照明部については、図示はしないが、制御部１１０が制御する。
【００８１】
ＣＴ撮影を行う際には、制御部１１０は第１照明部１２０から光を照射させる。ＣＴ撮影を行う際には、第１照明部１２０によってＣＴ撮影側へ光が照射される。よって、ＣＴ撮影を予定している被検者は、乳房撮影装置のどちら側で撮影するのかを認識することができる。
【００８２】
ＣＴ撮影中には、第１照明部１２０はＣＴ撮影側に照射されていた光を消す。ＣＴ撮影中とは、放射線発生部１０と放射線検出部１２が回転してＣＴ撮影が行われている期間である。つまり、ＣＴ撮影中には第１照明部１２０から光が照射されない。
【００８３】
放射線発生部１０には、ＣＴ撮影側に光を照射する第２照明部１２２が設置されている。制御部１１０は第２照明部１２２から光を照射させる。第２照明部１２２から照射される光は、点灯形態である。第２照明部１２２から照射される光が点灯形態であるため、放射線発生部１０や放射線検出部１２が回転していても、放射線発生部１０や放射線検出部１２の位置を確認できるようになっている。
【００８４】
また、フロントカバー２６は半透明であるため、第２照明部１２２から照射される光はＣＴ撮影側に照射されることになる。放射線発生部１０と放射線検出部１２が回転しているＣＴ撮影中には、放射線発生部１０は放射線を発生させるとともに、第２照明部１２２から光を照射する。操作者は、回転している放射線発生部１０や放射線検出部１２の位置をＣＴ撮影側から確認することができる。よって、操作者は、放射線発生部１０や放射線検出部１２の位置をＣＴ撮影側から確認することにより、どのくらい放射線発生部１０が回転すればＣＴ撮影が終了するかを認識することができる。なお、放射線発生部１０には、ＣＴ撮影側に光を照射する第２照明部１２２が設置されている形態を示したが、放射線検出部１２に第２照明部１２２を設置してもよい。
【００８５】
放射線発生部１０と放射線検出部１２が回転してＣＴ撮影が終了すると、制御部１１０は第１照明部１２０から光を照射させる。第１照明部１２０によってＣＴ撮影側へ光が照射される。よって、操作者と被検者は、ＣＴ撮影が終了したことを認識することができる。
【００８６】
また、図７に示すように、放射線発生部１０、放射線検出部１２、圧迫板１４には、マンモ撮影側に光を照射する第３照明部１２４が設置されている。また、マンモ撮影側のガントリ３０（固定フレーム３０ａ、長円筒部３０ｂ）に第３照明部１２４が設置されていてもよい。すなわち、マンモ撮影側の乳房撮影装置から光が照射されるように第３照明部１２４が設置されている。図７に示す乳房撮影装置の手前側に光が照射されるようになっていればよい。第３照明部１２４から照射される光は、点灯形態、点滅形態どちらであってもよい。
【００８７】
マンモ撮影を行う際には、制御部１１０は第３照明部から光を照射させる。マンモ撮影を行う際には、第３照明部１２４によってマンモ撮影側へ光が照射される。よって、マンモ撮影を予定している被検者は、乳房撮影装置のどちら側で撮影するのかを認識することができる。
【００８８】
図９は、乳房保持部３４に保持された被検者の乳房を保護するための保護カバー３４ｂが乳房保持部３４に設置された形態を示す。
【００８９】
乳房保持部３４は、操作者がマンモ撮影側から乳房にアクセスするための開口部３４ａを有している。乳房保持部３４の上側は、開いている。
【００９０】
ＣＴ撮影を行う際、回転駆動部１１２の駆動により、放射線発生部１０ａと放射線検出部１２ａを回転させる。乳房保持部３４は放射線検出部１２ａに近接して配置されているため、開口部３４ａの近傍を放射線検出部１２ａが通過することとなる。そのため、仮に開口部３４ａから乳房がはみ出ている場合、乳房保持部３４に保持されている乳房が回転している放射線検出部１２ａと接触してしまう可能性がある。
【００９１】
そこで、本発明の乳房撮影装置１００では、乳房保持部３４に乳房を保護するための保護カバー３４ｂを備える。乳房保持部３４の開口部３４ａの外縁と保護カバー３４ｂの外縁は一致している。乳房保持部３４に保護カバー３４ｂが嵌合して装着される。保護カバー３４ｂは、乳房保持部３４の下側の形状と同様に、お椀形状になっている。保護カバー３４ｂによって、乳房保持部３４の開口部３４ａを覆うことができる。つまり、保護カバー３４ｂによって開口部３４ａから乳房がはみ出すことを制限することができる。よって、乳房保持部３４に保持されている乳房が回転している放射線検出部１２ａと接触してしまう可能性を低減させることができる。
【００９２】
保護カバー３４ｂは、保護カバー３４ｂを取り外すための挿入部３４ｃが設置されている。挿入部３４ｃは、保護カバー３４ｂを取り外す際に操作者の指を挿入する個所であり、保護カバー３４ｂの外縁に設置されている。
【００９３】
操作者は、挿入部３４ｃに指を入れて、保護カバー３４ｂを手前方向に引っ張ることにより、保護カバー３４ｂを取り外すことができる。ＣＴ撮影を行う前に保護カバー３４ｂを取り外すことにより、ＣＴ撮影を行う被検者の乳房へのアクセスが容易になる。逆に、操作者は、乳房保持部３４の開口部３４ａに対し、保護カバー３４に押し込むことにより、保護カバー３４ｂを取り付けることができる。
【００９４】
乳房保持部３４は、被検者の乳房に合わせて、複数用意することもできる。例えば、複数の大きさ、形状に合わせて、複数の乳房保持部３４を用意する。操作者が撮影の際に被検者の乳房を観察したり計測したりすることにより、操作者は、最適な乳房保持部３４を選択して、フロントカバー２６に対して設置することができる。
【００９５】
図１０は、乳房保持部３４に保持された被検者の乳房を保護するとともに、生体検査用の生検針を挿入させる開口部３４ｅを有した保護カバー３４ｄが乳房保持部３４に設置された形態を示す。
【００９６】
乳房保持部３４に保持された被検者の乳房を保護するための保護カバー３４ｄが乳房保持部３４に設置され、保護カバー３４ｄは生検針１４２を挿入するための複数の開口部３４ｅを有している。
【００９７】
保護カバー３４ｄは、被検者の乳房を覆って保護することができる。また、保護カバー３４ｄには、生体検査用の生検針を挿入させる開口部３４ｅが複数設置されている。操作者は、複数の開口部３４ｅの内、一つの開口部３４ｅから生体検査用の生検針を挿入させて、生検を行う。
【００９８】
また、乳房撮影装置１００では、生検が行われる際、保護カバー３４ｄによって、被検者の乳房を圧迫する圧迫機構を備えている。圧迫機構により、図１０に示す状態から、保護カバー３４ｄを乳房保持部３４側に押し込むことができる。操作者は、被検者の乳房を圧迫した（固定した）状態で、開口部３４ｅから生体検査用の生検針を挿入させて、生検を行うことができる。
【００９９】
図１１は、保護カバー３４ｄによる圧迫機構の一例を示している。図１１は、乳房保持部３４と保護カバー３４ｄの接触断面を示す。乳房保持部３４と保護カバー３４ｄは、ラッチ機構３４ｆを有している。ラッチ機構３４ｆは、乳房保持部３４と保護カバー３４ｄが互いに噛み合うことができる機構である。ラッチ機構３４ｆによって保護カバー３４ｄを乳房保持部３４に押し込み固定することができる。ラッチ機構３４ｆによって保護カバー３４ｄが乳房保持部３４から外れないようになっている。このように、保護カバー３４ｄは外部からの圧力により保護カバー３４内に押し込まれた際、乳房を圧迫した状態で維持することができる。
【０１００】
保護カバー３４ｄを取り外す際、操作者は保護カバー３４ｄを内側に撓ませ、乳房保持部３４との噛み合いを解除する。乳房保持部３４との噛み合いを解除すれば、ラッチ機構３４ｆは機能しなくなるため、保護カバー３４ｄを取り外すことができる。
【０１０１】
以上、本発明の乳房撮影装置１００のガントリ３０には、ＣＴ撮影時に回転する放射線発生部１０と放射線検出部１２から被検者を保護するフロントカバー２６が着脱可能に設置されている。また、フロントカバー２６は、被検者の乳房を挿入するための開口２０と、開口２０から挿入された被検者の乳房を保持する乳房保持部３４を有している。よって、ＣＴ撮影時に回転する放射線発生部１０と放射線検出部１２から被検者を保護することができる。
【０１０２】
＜生検＞
図１２は、放射線発生部１０に生検用装置１４０が設置された形態を示す。生検用装置１４０は放射線発生部１０に対して着脱可能である。生検用装置１４０は、被検者の乳房に穿刺する生検針１４２を有している。生検針１４２は生検用装置１４０に支持された支点を中心にして回転することができ、生検用装置１４０は、生検針１４２の角度を設定することができる。生検用装置１４０は回転フレーム３８に設置されていてもよい。つまり、生検用装置１４０は、回転する構成要素に着脱可能に設置されている。生検用装置１４０は、吸盤、磁石等の着脱機構を有している。
【０１０３】
図１２に示すように、放射線発生部１０には、生検用装置１４０を設置する際に用いる目盛１４４（指標）が付与されている。目盛１４４は、乳房保持部３４若しくは保護カバー３４ｄとの位置関係を示すものである。目盛１４４は、放射線発生部１０に対して平面上に設置されている。目盛１４４は、放射線発生部１０の縦方向と横方向に設置されている。操作者は、目盛１４４によって、生検用装置１４０の高さと奥行きを確認することができる。操作者は、目盛１４４を確認しながら、生検用装置１４０を設置することができる。
【０１０４】
図１３は、乳房撮影装置１００の表示部に表示される生検針挿入支援画面２００を示す。生検針挿入支援画面２００は、生検針の挿入するシミュレーションを行うための画面である。操作者は、図１３に示す生検針挿入支援画面２００を用いて、生体を取得する生検針１４２の先端位置、挿入皮膚面、および乳房内を通過する経路を確認しながら設定する。被検者の乳房を乳房保持部３４と保護カバー３４ｄで固定した状態で撮影し、撮影された画像を生検針挿入支援画面２００に表示する。ここでは、撮影された画像には、病変部２０５が含まれているとする。
【０１０５】
表示部は、被検者の乳房を冠状断面２０１、横断面２０２、および矢状断面２０３で表示する。操作者は、生検針の軌跡２０９を変更しながら生検針の挿入経路２０９、生検針の先端を決定する。操作者は、マウス、キーボード、タッチパネル等を使用し、生検針挿入支援画面２００を操作して生検針の軌跡２０９を設定する。表示部は、冠状断面２０１、横断面２０２、および矢状断面２０３に生検針の先端を表示して、生検針の位置をリアルタイムで変更することができる。また、表示部は、冠状断面２０１、横断面２０２、および矢状断面２０３以外に生検針に沿ったオブリーク画面を表示することができる。
【０１０６】
また、表示部は、各種設定値を表示する設定値表示画面２０４を表示する。設定値表示画面２０４には、病変部の位置、生検針の位置、生検針の角度、放射線発生部１０を含む回転部の角度が表示される。操作者は、設定値表示画面２０４に表示された生検針の位置、生検針の角度によって、どの位置から生検針を挿入すべきか把握することができる。操作者は、放射線発生部１０のどの位置に生検用装置１４０を設置して、生検針の角度を設定すればいいのか、把握することができる。生検用装置１４０を設置した後は、操作者は設定値表示画面２０４に表示された数値を頼りに生検針の位置を決定し、生検を実施することができる。
【０１０７】
また、設定値表示画面２０４は、生検針の先端位置、生検針の角度に基づいて、放射線発生部１０に付与された目盛１４４における、設置位置を特定する情報を表示してもよい。具体的には、制御部は、生検針の先端位置、生検針の角度と複数の開口部３４ｅの位置関係から生検用装置１４０に支持された生検針の支点の位置を算出する。ここでは、制御部は、生検針の角度が最も小さくなる生検針の支点の位置を算出する。制御部は、生検針の支点の位置から生検用装置１４０の位置を特定し、その位置に対応する目盛１４４の座標（位置）を算出する。制御部は、算出した座標（位置）を設定値表示画面２０４に表示させる。
【０１０８】
また、設定値表示画面２０４は、生検針の先端位置、生検針の角度に基づいて、複数の開口部３４ｅの内、一つの開口部３４ｅを特定する情報を表示してもよい。操作者は、複数の開口部３４ｅの内、一つの開口部３４ｅから生体検査用の針を挿入させて、生検を行うことができる。
【０１０９】
以上、乳房撮影装置は、被検者の乳房に穿刺する生検針１４２を有した生検用装置１４０を備え、生検用装置１４０は、放射線発生部１０に対して設置されている。よって、乳房撮影装置は、ＣＴ撮影と生検針を用いた生検を行うことができる。
【０１１０】
図１４は、フロントカバー２６に生検用装置１４０が設置された形態を示す。生検用装置１４０はフロントカバー２６に対して着脱可能である。つまり、生検用装置１４０は、静止している構成要素に着脱可能に設置されている。生検用装置１４０は、放射線発生部１０などの回転要素の障害にならないフロントカバー２６に設置されている。生検用装置１４０は、吸盤、磁石等の着脱機構を有している。
【０１１１】
図１４に示すように、フロントカバー２６には、生検用装置１４０を設置する際に用いる目盛１４６が付与されている。目盛１４６は、乳房保持部３４若しくは保護カバー３４ｄとの位置関係を示すものである。目盛１４６は、フロントカバー２６に対して平面上に設置されている。目盛１４６は、フロントカバー２６の縦方向と横方向にも設置されている。操作者は、目盛１４６によって、生検用装置１４０の高さと奥行きを確認することができる。操作者は、目盛１４６を確認しながら、生検用装置１４０を設置することができる。
【０１１２】
フロントカバー２６は、生検用装置１４０の設置を容易にする窪み等のエンボス構造を持つことができる。また、設定値表示画面２０４は、生検針の先端位置、生検針の角度に基づいて、放射線発生部１０に付与された目盛１４６における、設置位置を特定する情報を表示してもよい。
【０１１３】
以上、ガントリ３０には、ＣＴ撮影時に回転する放射線発生部と放射線検出部から被検者を保護するフロントカバー２６が設置される。乳房撮影装置は、被検者の乳房に穿刺する生検針１４２を有した生検用装置１４０を備え、生検用装置１４０は、フロントカバー２６に対して着脱可能に設置されている。よって、乳房撮影装置は、ＣＴ撮影と生検針を用いた生検を行うことができる。
【０１１４】
図１５は、乳房撮影装置の外部において、支持機構１４１を用いて生検用装置１４０が設置された形態を示す。図１５に示すように、生検用装置１４０を乳房撮影装置の外部に別途用意した支持機構１４１は、床面に設置されている。床面には、支持機構１４１を設置する位置を示す座標もしくは複数の固定位置を付与することができる。床面は、支持機構１４１の設置を容易にする窪み等のエンボス構造を持つこともできる。また、設定値表示画面２０４は、支持機構１４１および生検用装置１４０の取り付け位置を表示する。操作者は、その数値にしたがって生検用装置１４０を設置して生検を実施することができる。
【０１１５】
以上、被検者の乳房に穿刺する生検針１４２を有した生検用装置１４０と、生検用装置１４０を床面に対して支持する支持機構１４１を備えている。よって、乳房撮影装置は、ＣＴ撮影と生検針を用いた生検を行うことができる。
【符号の説明】
【０１１６】
１０（１０ａ、１０ｂ）  放射線発生部
１２（１２ａ、１２ｂ）  放射線検出部
１４  圧迫板
２０  開口
２２ａ、２２ｂ、２２ｃ、２２ｄ  ＣＴ撮影側の把持部
２６  フロントカバー
３０  ガントリ
３０ａ  固定フレーム
３０ｂ  長円筒部
３４  乳房保持部
４０  支持脚部
４２  長円筒部
４６  台座部
４８  切り欠き部
５０  操作部
７０  マンモ撮影側の把持部
１４０  生検用装置
【図１】
2017046974.tif 000003
【図２】
2017046974.tif 000004
【図３】
2017046974.tif 000005
【図４】
2017046974.tif 000006
【図５】
2017046974.tif 000007
【図６】
2017046974.tif 000008
【図７】
2017046974.tif 000009
【図８】
2017046974.tif 000010
【図９】
2017046974.tif 000011
【図１０】
2017046974.tif 000012
【図１１】
2017046974.tif 000013
【図１２】
2017046974.tif 000014
【図１３】
2017046974.tif 000015
【図１４】
2017046974.tif 000016
【図１５】
2017046974.tif 000017